(57)【要約】【課題】シート給送装置において、位置決め部材のロック解除を確実に行うこと。【解決手段】シート給送装置５０は、シートが載置される原稿積載トレイ５１と、原稿積載トレイ５１に載置されたシートを給送する給送部５２と、原稿積載トレイ５１に載置されたシートの先端を位置決めする規制位置Ｃ１と、給送部５２によって給送されるシートの通過を許容する退避位置との間を移動可能な位置決め部材５３と、位置決め部材５３の当接面を受け止めて位置決め部材５３を規制位置Ｃ１に位置決めする受け止め位置Ｂ１と、当接面から離間して位置決め部材５３が退避位置に移動するのを許容する離間位置とに移動可能なストッパ６１を有するストッパ部５４とを備えている。ストッパ６１は、位置決め部材５３の当接面に対して交差する方向に移動可能である。【選択図】図２
2015137151.tif 000002
【特許請求の範囲】
【請求項１】
シートが載置されるシート積載部材と、
前記シート積載部材に載置されたシートを給送する給送手段と、
前記シート積載部材に載置されたシートの先端を位置決めする規制位置と、前記給送手段によって給送されるシートの通過を許容する退避位置との間を移動可能な位置決め部材と、
前記規制位置に位置する前記位置決め部材の当接面に当接して前記位置決め部材の移動を規制するストッパ手段と、を備え、
前記ストッパ手段は、前記規制を解除するときは前記位置決め部材の当接面に対して交差する方向に移動する、
ことを特徴とするシート給送装置。
【請求項２】
前記ストッパ手段は、前記当接面に当接するストッパを備え、前記ストッパを前記当接面に対して直交する方向に案内する案内部を有している、
ことを特徴とする請求項１に記載にシート給送装置。
【請求項３】
前記給送手段は、回転体と、前記回転体を支持して前記回転体を前記シート積載部材に載置されたシートに接触した給送位置と、該シートから離間した非給送位置とに移動させる回転体支持部材と、を有し、
前記ストッパ手段は、前記回転体と前記回転体支持部材との一方と、前記ストッパとを連動させる連動機構を有し、
前記連動機構は、前記回転体支持部材が前記回転体を前記非給送位置に位置させているとき前記ストッパを前記位置決め部材の当接面に当接する位置に位置させる、
ことを特徴とする請求項２に記載のシート給送装置。
【請求項４】
前記位置決め部材は、前記給送手段が給送するシートにより移動し、自重により前記規制位置に戻る、
ことを特徴とする請求項１乃至３のいずれか１項に記載のシート給送装置。
【請求項５】
原稿の画像を読み取る画像読取部と、
前記画像読取部に向けて原稿を給送するシート給送装置と、を備え、
前記シート給送装置が請求項１乃至４のいずれか１項に記載のシート給送装置である、
ことを特徴とする画像読取装置。
【請求項６】
シートに画像を形成する画像形成部と、
前記画像形成部に向けてシートを給送するシート給送装置と、を備え、
前記シート給送装置が請求項１乃至４のいずれか１項に記載のシート給送装置である、
ことを特徴とする画像形成装置。
【発明の詳細な説明】
【技術分野】
【０００１】
本発明は、シート積載部材に載置されたシートの先端を位置決めする位置決め部材を有するシート給送装置、このシート給送装置を備えた画像読取装置、及びこのシート給送装置を備えた画像形成装置に関する。
【背景技術】
【０００２】
プリンタ，複写機等の画像形成装置で使用されるシート給送装置において、シート積載トレイに載置（セット）されたシートの先端を位置決めするための位置決め部材を備えたものが知られている（例えば、特許文献１参照）。
【０００３】
このものは、図８、図９に示すように、シート積載トレイ１００に載置（セット）されたシートＰの先端を位置決めする回転可能な位置決め部材１０１を備えている。この位置決め部材１０１は、当接部１０１ａと係止部１０１ｂとを有している。位置決め部材１０１は、当接部１０１ａにシートＰの先端が突き当てられると、係止部１０１ｂがストッパ１０２の係止爪１０２ａに係止され、これにより、規制位置Ｃ１に回転不能にロックされる。この結果、突き当てられたシートＰの先端を位置決めすることができる。
【０００４】
シートＰの給送時には、ストッパ１０２が回転中心１０２ｂを基準として時計回りに回転する。これにより、係止爪１０２ａが係止部１０１ｂから外れて、位置決め部材１０１のロックが解除されて、位置決め部材１０１の回転が可能となる。位置決め部材１０１は、給送されるシートＰによって、退避位置に退避される。
【先行技術文献】
【特許文献】
【０００５】
【特許文献１】特開２００６−２７７９８号公報
【発明の概要】
【発明が解決しようとする課題】
【０００６】
しかし、従来の技術によると、位置決め部材１０１のロック解除の際に、ストッパ１０２の係止爪１０２ａが、位置決め部材１０１の係止部１０１ｂに摺擦しながら外れることになる。このため、シートＰの先端が位置決め部材１０１の当接部１０１ａに突き当てられている状態では、摺擦時の摩擦抵抗が大きくなって、係止爪１０２ａが係止部１０１ｂから外れないおそれがある。そして、係止部１０１ｂから係止爪１０２ａが外れない場合には、位置決め部材１０１のロックが解除されないために、シートＰの給送が行えなくなってしまう。
【０００７】
本発明は、位置決め部材のロック解除を確実に行うことができるシート給送装置、画像読取装置、及び画像形成装置を提供するものである。
【課題を解決するための手段】
【０００８】
本発明のシート給送装置は、シートが載置されるシート積載部材と、前記シート積載部材に載置されたシートを給送する給送手段と、前記シート積載部材に載置されたシートの先端を位置決めする規制位置と、前記給送手段によって給送されるシートの通過を許容する退避位置との間を移動可能な位置決め部材と、前記規制位置に位置する前記位置決め部材の当接面に当接して前記位置決め部材の移動を規制するストッパ手段と、を備え、前記ストッパ手段は、前記規制を解除するときは前記位置決め部材の当接面に対して交差する方向に移動する、ことを特徴としている。
【０００９】
また、本発明の画像読取装置は、原稿の画像を読み取る画像読取部と、前記画像読取部に向けて原稿を給送するシート給送装置と、を備え、前記シート給送装置が上記のシート給送装置である、ことを特徴としている。
【００１０】
また、本発明の画像形成装置は、シートに画像を形成する画像形成部と、前記画像形成部に向けてシートを給送するシート給送装置と、を備え、前記シート給送装置が上記のシート給送装置である、ことを特徴としている。
【発明の効果】
【００１１】
本発明のシート給送装置によれば、ストッパ手段が、規制位置に位置する位置決め部材の規制を解除するときに、位置決め部材の当接面に対して交差する方向に離間するようになっている。つまり、摩擦摺動を伴うことなく規制が解除される。このため、摩擦摺動に伴うロック解除不良を防止することができる。
【００１２】
また、本発明の画像読取装置によれば、シート給送装置の位置決め部材のロックを確実に解除することができるので、原稿を確実に画像読取部に給送することができる。
【００１３】
また、本発明の画像読取装置によれば、シート給送装置の位置決め部材のロックを確実に解除することができるので、シートを確実に画像形成部に給送することができる。
【図面の簡単な説明】
【００１４】
【図１】画像形成装置の内部を正面側から見た模式図である。
【図２】給紙ローラが非給送位置、ストッパが受け止め位置、位置決め部材が規制位置に配置された状態を示す図である。
【図３】給紙ローラが給送位置、ストッパが離間位置、位置決め部材が規制位置に配置された状態を示す図である。
【図４】図４〜図７は、カバー部材、軸受部材、及びガイド部材を取り外して、シート給送装置の動作を説明する図であり、このうち図４は、給紙ローラが非給送位置、ストッパが受け止め位置、位置決め部材が規制位置に配置された状態を示す図である。
【図５】給紙ローラが非給送位置から給送位置への移動途中、ストッパが受け止め位置から離間位置への移動途中、位置決め部材が規制位置に配置された状態を示す図である。
【図６】給紙ローラが給送位置、ストッパが離間位置、位置決め部材が規制位置に配置された状態を示す図である。
【図７】給紙ローラが給送位置、ストッパが離間位置、位置決め部材が退避位置に配置された状態を示す図である。
【図８】従来のシート給送装置における位置決め部材のロック状態を説明する図である。
【図９】従来のシート給送装置における位置決め部材のロック解除状態を説明する図である。
【発明を実施するための形態】
【００１５】
以下、本発明の実施形態を図面に基づいて説明する。なお、数値は、参考数値であって本発明を限定するものではない。
【００１６】
まず、本発明の実施形態に係る画像形成装置１０について、図１を参照して説明し、その後、実施形態に係るシート給送装置５０について、図２〜図７を参照して説明する。
【００１７】
［画像形成装置］
図１は、画像形成装置１０の内部を正面側（前側）から見た模式図である。ここで、画像形成装置１０としては、静電記録方式や電子写真方式のプリンタ、複写機、ファクシミリ、及びこれらの複合機等を使用することができる。なお、以下では、画像形成装置１０が電子写真方式のプリンタであり、かつＡＤＦ（自動原稿送り装置）１４を備えている場合を例に説明する。
【００１８】
画像形成装置１０は、図１に示すように、原稿Ｄの画像情報を読み取る画像読取装置１１と、この画像読取装置１１が読み取った画像情報に基づいて、シート（記録材）Ｐに画像を形成する画像形成部１２とを備えている。また、画像形成装置１０は、この画像形成部１２に対してシートＰを搬入・搬出するシート給搬送部１３を備えている。さらに、画像形成装置１０は、ＡＤＦ（自動原稿送り装置）１４、及び手差し給紙部１５を備えている。
【００１９】
画像読取装置１１は、画像形成装置１０の上部に配設されていて、プラテンガラス１６と、プラテンガラス１６に原稿Ｄを密着させる開閉自在な原稿押圧板１７と、画像読取ユニット１８と、ＡＤＦ１４とを有している。画像読取ユニット１８は、主走査方向（図１の紙面の表裏方向）に長く形成されていて、副走査方向（図１中の右方向）に移動しつつ、プラテンガラス１６に載置された原稿Ｄの画像情報を読み取る。なお、画像読取ユニット１８は、ＡＤＦ１４のシート給送装置５０によって搬送されてきた原稿Ｄを画像読取部Ｇで読み取る場合には、画像読取部Ｇの下方に固定された状態で読み取る。画像読取装置１１は、プラテンガラス１６に載置された原稿Ｄ又はＡＤＦ１４のシート給送装置５０によって搬送されてきた原稿Ｄの画像情報を読み取って、その画像情報を後述するレーザ露光器２２に送信する。なお、シート給送装置５０については後に詳述する。
【００２０】
画像形成部１２は、像担持体としての感光ドラム２０を有している。感光ドラム２０は、円筒状に形成されていて、矢印方向（図１中の反時計回り）に回転駆動される。感光ドラム２０の回りには、その回転方向に沿ってほぼ順に、帯電ローラ２１、レーザ露光器２２、現像ローラ２３、転写ローラ２４、及びクリーナ２５が配設されている。シート搬送方向に沿っての感光ドラム２０の下流側には、定着器２６が配設されている。
【００２１】
感光ドラム２０の表面（ドラム表面）は、帯電ローラ２１によって所定の極性、所定の電位に均一に帯電される。帯電後のドラム表面は、レーザ露光器２２によって静電潜像が形成される。ここで、レーザ露光器２２は、画像読取装置１１で読み取った原稿Ｄの画像情報に基づいてオン／オフ制御されるレーザ光Ｌを発光し、ドラム表面を露光して露光部分の電荷を除去し、静電潜像を形成する。この静電潜像は、現像ローラ２３によってトナー（現像剤）が付着されてトナー像として現像される。こうして、ドラム表面に形成されたトナー像は、転写ローラ２４に転写バイアスを印加することにより、シートＰに転写される。
【００２２】
ここで、シートＰは、シート給搬送部１３によって、ドラム表面のトナー像にタイミングを合わせて搬送される。シート給搬送部１３は、複数枚のシートＰが積層状態で収納された給紙カセット３０、ピックアップローラ３１、搬送ローラ３２、レジストローラ３３、排紙ローラ３４、及び排紙トレイ３５を有している。給紙カセット３０内のシートＰは、ピックアップローラ３１によって１枚だけ取り出され、搬送ローラ３２により、レジストローラ３３に向けて搬送される。搬送されたシートＰは、レジストローラ３３によって一旦停止されて、斜行が矯正される。このシートＰは、感光ドラム２０のドラム表面のトナー像が、感光ドラム２０と転写ローラ２４との間の転写ニップ部Ｔに搬送されるタイミングに合わせて、転写ニップ部Ｔに供給され、転写ローラ２４によってトナー像が転写される。トナー像転写後の感光ドラム２０は、ドラム表面に残った転写残トナーがクリーナ２５によって除去されて、帯電から始まる次の画像形成に供される。
【００２３】
一方、トナー像転写後のシートＰは、ドラム表面から分離（剥離）され、定着器２６によって加熱、加圧されて表面にトナー像が定着される。トナー像定着後のシートＰは、排紙ローラ３４によって排紙トレイ３５上に排出される。以上で１枚のシートＰの片面（表面）に対する画像形成が終了する。
【００２４】
［シート給送装置］
図２〜図７を参照して、ＡＤＦ１４に適用されたシート給送装置５０について説明する。
【００２５】
ここで、図２は、給紙ローラ５５が非給送位置Ａ１、ストッパ６１が受け止め位置Ｂ１、位置決め部材５３が規制位置Ｃ１に配置された状態を示す図である。また、図３は、給紙ローラ５５が給送位置Ａ２、ストッパ６１が離間位置Ｂ２、位置決め部材５３が規制位置Ｃ１に配置された状態を示す図である。
【００２６】
また、図４〜図７は、図２、図３に示す給紙カバー５７、軸受部材５８、及びガイド部材５９を取り外して、シート給送装置５０の動作を説明する図である。このうち図４は、給紙ローラ５５が非給送位置Ａ１、ストッパ６１が受け止め位置Ｂ１、位置決め部材５３が規制位置Ｃ１に配置された状態を示す図である。また、図５は、給紙ローラ５５が非給送位置Ａ１から給送位置Ａ２への移動途中、ストッパ６１が受け止め位置Ｂ１から離間位置Ｂ２への移動途中、位置決め部材５３が規制位置Ｃ１に配置された状態を示す図である。また、図６は、給紙ローラ５５が給送位置Ａ２、ストッパ６１が離間位置Ｂ２、位置決め部材が規制位置Ｃ１に配置された状態を示す図である。また、図７は、給紙ローラ５５が給送位置Ａ２、ストッパ６１が離間位置Ｂ２、位置決め部材５３が退避位置Ｃ２に配置された状態を示す図である。
【００２７】
図２、図３に示すように、シート給送装置５０は、シートとしての原稿Ｄが載置される原稿積載トレイ（シート積載部材）５１と、この原稿積載トレイ５１に載置された原稿Ｄを給送する給送部５２と、位置決め部材５３と、ストッパ部５４とを備えている。
【００２８】
このうち、給送手段としての給送部５２は、給紙ローラ（回転体）５５と、保持アーム（回転体支持部材）５６とを有している。これら給紙ローラ５５及び保持アーム５６は、その上方が給紙カバー５７によって覆われている。給紙カバー５７には、その下面側に、軸受部材５８及びガイド部材５９が固定されている。軸受部材５８は、搬送ローラ６０の軸部６０ａを回転可能に支持している。搬送ローラ６０は、後述する給紙ローラ５５によって給送されてきた原稿Ｄをさらに下流側に搬送するものである。保持アーム５６は、一方の端部が搬送ローラ６０の軸部６０ａによって回動自在に支持されており、これにより、他方の端部が上下方向に揺動可能となっている。この他方の端部に、給紙ローラ５５の軸部５５ａが回転自在に支持されている。
【００２９】
保持アーム５６は、搬送ローラ６０の軸部６０ａを基準として揺動することができる。これにより、給紙ローラ５５は、原稿積載トレイ５１に載置された原稿Ｄに接触する給送位置Ａ２（図３参照）と、原稿Ｄから離間する非給送位置Ａ１（図２参照）との間を移動することができる。
【００３０】
図４、図６は、それぞれ図２、図３から上述の給紙カバー５７、軸受部材５８、及びガイド部材を取り外した状態を示している。なお、図５、図７においても、これらの部材を取り外している。
【００３１】
図２に示すように、位置決め部材５３は、原稿Ｄの先端が当接される湾曲部５３ａとバランスを取るためのバランサ部５３ｂとを有しており、軸部５３ｃが、図２中のガイド部材５９の左端側の下部によって回動自在に支持されている。これにより、位置決め部材５３は、外力が作用しない自然状態にあっては、その自重により、図５、図６等に示す規制位置Ｃ１に配置されるようになっている。位置決め部材５３は、全体として、軸部５３ｃを中心として、図４に示す、原稿Ｄの先端を位置決めする規制位置Ｃ１と図７に示す、給紙ローラ５５によって給送される原稿Ｄの通過を許容する退避位置Ｃ２との間を揺動可能（移動可能）である。すなわち、位置決め部材５３は、図６に示す規制位置Ｃ１から給紙ローラ５５が原稿Ｄを給送する方向に揺動可能であり、自重により規制位置Ｃ１に復帰可能な揺動部材である。なお、原稿積載トレイ５１における、位置決め部材５３の揺動経路に対応する位置には、切欠５１ａが形成されていて、位置決め部材５３の揺動動作を可能としている。
【００３２】
ストッパ手段としてのストッパ部５４は、ストッパ６１と、ストッパ６１の移動をガイドするガイド溝（案内部）５９ａと、連結アーム（連動機構）６２とを有している。連結アーム６２は、一方の端部が上述の給紙ローラ５５の軸部５５ａによって回動自在に支持されており、これにより、他方の端部側が揺動可能である。また、他方の端部は、軸６１ａを介して、ストッパ６１を揺動自在に支持している。ストッパ６１は他方の端部に軸６１ｂが突設されており、他方の端縁は、上下方向を向いた平坦な当接面６１ｃとなっている。この当接面６１ｃは、規制位置Ｃ１に配置された状態の位置決め部材５３の当接面５３ｄと平行となっている。
【００３３】
ストッパ６１は、図２、図３に示すように、ガイド部材５９に形成されたガイド溝５９ａに沿って移動する。ガイド溝５９ａは、直線状で、かつ規制位置Ｃ１に配置された位置決め部材５３の当接面５３ｄに対して交差する方向、さらに詳しくは直交する方向に向けて形成されている。そして、ストッパ６１の軸６１ａ，６１ｂは、このガイド溝５９ａに係合されている。このため、ストッパ６１が移動する際、軸６１ａ，６１ｂがガイド溝５９ａに沿って移動するため、ストッパ６１は、当接面５３ｄに対して直交する方向に移動することになる。
【００３４】
図４〜図７を参照して、上述構成のシート給送装置５０の動作を説明する。
【００３５】
図４に示すように、原稿積載トレイ５１に原稿Ｄが載置（セット）させる際には、給紙ローラ５５は、保持アーム５６を介して、非給送位置Ａ１に配置される。これに対応して、ストッパ６１は、受け止め位置Ｂ１に配置されてその当接面６１ｃを位置決め部材５３の当接面５３ｄに当接させる。これにより、位置決め部材５３は、規制位置Ｃ１に揺動不能な状態でロックされる。このとき、ストッパ６１及び連結アーム６２は、ほぼ位置決め部材５３の当接面５３ｄと給紙ローラ５５の軸部５５ａを結ぶ直線上に位置する。このため、原稿積載トレイ５１に原稿Ｄが載置される際に、原稿Ｄの先端が比較的強い力で、位置決め部材５３に当接された場合でも、位置決め部材５３は不要に動かされることなく確実に規制位置Ｃ１に配置されることになる。
【００３６】
原稿Ｄを給紙すべく、図５に示すように保持アーム５６が搬送ローラ６０の軸部６０ａを中心に矢印Ｒ１方向（図５中の時計回り）に揺動を開始すると、給紙ローラ５５が非給送位置Ａ１から下降する。これに伴い、連結アーム６２が矢印Ｒ２方向に揺動し、ストッパ６１が矢印Ｋ１方向に移動して、その当接面６１ｃが位置決め部材５３の当接面５３ｄから離間する。このとき、ストッパ６１の当接面６１ｃは、位置決め部材５３の当接面５３ｄに対して直交する方向に離間する。このため、当接面６１ｃは、当接面５３ｄに対して摺擦することなく離間して、離間を妨げるような不要な力が作用しないので、確実な離間を実現することができる。
【００３７】
ここで、図５に示すように、ストッパ６１の当接面６１ｃの離間が開始されても、位置決め部材５３は、その自重で規制位置Ｃ１を保持する。このため、位置決め部材５３が揺動してしまってその当接面５３ｄが不要にストッパ６１の当接面６１ｃに摺擦されるおそれがない。すなわち、位置決め部材５３の当接面５３ｄからストッパ６１の当接面ｃが離れた瞬間からロック解除が開始されるが、位置決め部材５３は、ロック解除が開始されても規制位置Ｃ１に位置することになる。
【００３８】
図６に示すように、保持アーム５６がさらに揺動して、給紙ローラ５５が下降し、原稿Ｄに当接する給送位置Ａ２に配置されると、ストッパ６１は、離間位置Ｂ２に配置されてロック解除が完了する。このときでも、位置決め部材５３は、そのまま規制位置Ｃ１に配置されている。このとき、位置決め部材５３は、規制位置Ｃ１に配置されてはいるものの、原稿Ｄの給送方向（矢印Ｋ２方向）には、小さい力で容易に移動することができる状態にある。
【００３９】
図７に示すように、給送位置Ａ２に配置された給紙ローラ５５が矢印Ｒ３方向に回転開始すると、原稿Ｄの給送が開始され、その給送が開始された原稿Ｄによって、位置決め部材５３は退避位置Ｃ２に退避する。つまり、原稿Ｄの給送（通過）を許容する。こうして給送が開始された原稿Ｄは、さらに、搬送ローラ６０の矢印Ｒ４方向の回転により、下流側に搬送されていく。
【００４０】
ここで、複数枚の原稿Ｄが連続して給送される場合には、先行する原稿Ｄの後端とこれに後続する原稿Ｄの先端との距離が比較的短いため、給紙ローラ５５は、ほぼ給送位置Ａ２に配置されたままの状態で、回転と、回転停止とを繰り返す。このため、位置決め部材５３は、規制位置Ｃ１に復帰することなく、連続して給送される原稿Ｄにより、ほぼ退避位置Ｃ２に配置されたままとなる。
【００４１】
最後の原稿Ｄの給送及び搬送が終了して、その後端が位置決め部材５３を通過し終えると、位置決め部材５３は、速やかに規制位置Ｃ１に復帰する。そして、保持アーム５６が図５中の矢印Ｒ５方向に揺動して、給紙ローラ５５が非給送位置Ａ１に配置されると、ストッパ６１は矢印Ｋ３方向に移動して、受け止め位置Ｂ１に移動し、その当接面６１ｃを停止中の位置決め部材５３の当接面５３ｄに当接させる。このときも、ストッパ６１の当接面６１ｃは、位置決め部材５３の当接面５３ｄに対して直交する方向から当接するので、当接面６１ｃと当接面５３ｄとの間に不要な摺擦が発生することなく、円滑に当接される。
【００４２】
このようにして、規制位置Ｃ１にロックされた位置決め部材５３は、原稿積載トレイ５１に原稿Ｄが載置される際に原稿Ｄの先端が比較的強い力で当接されても不要に移動することなく、原稿Ｄの先端を位置決めすることができる。
【００４３】
上述の、ＡＤＦ１４に適用したシート給送装置５０は、以下のような作用、効果を奏する。
【００４４】
位置決め部材５３の当接面５３ｄに当接して、位置決め部材５３を規制位置Ｃ１にロックするストッパ６１が位置決め部材５３のロックを解除する際に、当接面５３ｄに対して交差する方向（直交する方向）に移動して当接面５３ｄから離間する。このため、離間時に、当接面５３ｄとストッパ６１とが摺擦されることがないので、離間は、摺擦による摩擦力等の抵抗を受けることなく確実に行うことができる。これにより、位置決め部材５３のロック解除を確実に行って、シートＰの給送を確実に行うことができる。
【００４５】
以上では、シート給送装置５０がＡＤＦ１４に適用された場合を説明したが、シート給送装置５０は、図１に示す手差し給紙部１５に適用することもできる。図１に示す画像形成装置１０には、その一方の側面（右側面）に手差し給紙部１５が設けられている。手差し給紙部１５は、閉鎖位置Ｐ１（二点鎖線参照）と開放位置Ｐ２（実線参照）との間を開閉自在な手差しトレイとしてのシート積載トレイ（シート積載部材）６５を備えている。シート給送装置５０は、シート積載トレイ６５に載置されたシートＰを、レジストローラ３３に向けて給送するための装置と、上述のＡＤＦ１４設ける場合と略同様にして設けることができる。
【００４６】
この場合も、上述のＡＤＦ１４に設けた場合と、ほぼ同様の作用、効果を奏することができる。
【符号の説明】
【００４７】
Ａ１…非給送位置、Ａ２…給送位置、Ｂ１…受け止め位置、Ｂ２…離間位置、Ｃ１…規制位置、Ｃ２…退避位置、Ｄ…原稿（シート）、Ｇ…画像読取部、Ｐ…シート、１０…画像形成装置、１１…画像読取装置、５０…シート給送装置、５１…原稿積載トレイ（シート積載部材）、５２…給送部（給送手段）、５３…位置決め部材、５３ｄ…当接面、５４…ストッパ部（ストッパ手段）、５５…給紙ローラ（回転体）、５６…保持アーム（回転体支持部材）、５９ａ…ガイド溝（案内部）、６１…ストッパ、６１ｃ…当接面、６２…連結アーム（連動機構）、６５…シート積載トレイ（シート積載部材）
【図１】
2015137151.tif 000003
【図２】
2015137151.tif 000004
【図３】
2015137151.tif 000005
【図４】
2015137151.tif 000006
【図５】
2015137151.tif 000007
【図６】
2015137151.tif 000008
【図７】
2015137151.tif 000009
【図８】
2015137151.tif 000010
【図９】
2015137151.tif 000011